(57)【要約】【課題】電子メールの内容を表示する前に重要なメールの存在を把握する。【解決手段】携帯電話機やパーソナルコンピュータ等の電子メール装置において、ユーザから受信メール一覧表示要求があったときに、受信メール一覧に含まれる電子メールの本文中に重要メール識別用文字列が含まれているかを検出する手段と、含まれていた電子メールについては、受信メール一覧画面上で重要メール識別用アイコンを表示する手段とを有する。【選択図】      図１
2004252635.tif 000002
【特許請求の範囲】
【請求項１】
ユーザから受信メール一覧表示要求があったときに、受信メール一覧に含まれる電子メールの本文中に重要メール識別用文字列が含まれているかを検出する手段と、含まれていた電子メールについては、受信メール一覧画面上で重要メール識別用アイコンを表示する手段とを有することを特徴とする電子メール装置。
【請求項２】
電子メールを受信する度に、受信した電子メールを内部記憶部に記憶させるとともに、前記内部記憶部に記憶されている受信メール一覧情報に受信した電子メールの一覧情報を追加して更新する手段と、受信した電子メールの本文中に重要メール識別用文字列が含まれているかを検出する手段と、含まれていた場合は、前記受信メール一覧情報内の該当メールに重要メール識別用アイコンを追加して前記受信メール一覧情報を更新する手段とを有することを特徴とする電子メール装置。
【請求項３】
電子メールを受信する度に、受信した電子メールを内部記憶部に記憶させるとともに、前記内部記憶部に記憶されている受信メール一覧情報に受信した電子メールの一覧情報を追加して更新する手段と、受信した電子メールの本文中に重要メール識別用文字列が含まれているかを検出する手段と、含まれていた場合は、重要メール識別用アイコンを待ち受け画面上またはデスクトップ画面上に表示する手段とを有することを特徴とする電子メール装置。
【請求項４】
電子メールを受信する度に、受信した電子メールを内部記憶部に記憶させるとともに、前記内部記憶部に記憶されている受信メール一覧情報に受信した電子メールの一覧情報を追加して更新する手段と、受信した電子メールの本文中に重要メール識別用文字列が含まれているかを検出する手段と、含まれていた場合は、前記受信メール一覧情報の該当メールに重要メール識別用アイコンを追加して前記受信メール一覧情報を更新する手段と、重要メール識別用アイコンを待ち受け画面上またはデスクトップ画面上に表示する手段とを有することを特徴とする電子メール装置。
【請求項５】
ユーザから送信メール一覧表示要求があったときに、送信メール一覧に含まれる電子メールの本文中に重要メール識別用文字列が含まれているかを検出する手段と、含まれていた電子メールについては、送信メール一覧画面上で重要メール識別用アイコンを表示する手段とを有することを特徴とする電子メール装置。
【請求項６】
電子メールを送信する度に、送信した電子メールを内部記憶部に記憶させるとともに、前記内部記憶部に記憶されている送信メール一覧情報に送信した電子メールの一覧情報を追加して更新する手段と、送信した電子メールの本文中に重要メール識別用文字列が含まれているかを検出する手段と、含まれていた場合は、前記送信メール一覧情報の該当メールに重要メール識別用アイコンを追加して前記送信メール一覧情報を更新する手段とを有することを特徴とする電子メール装置。
【請求項７】
前記重要メール識別用アイコンは、電子メールの題名に表示されることを特徴とする請求項１，２，５または６記載の電子メール装置。
【請求項８】
前記重要メール識別用アイコンは、電子メールの送信者アドレスに表示されることを特徴とする請求項１または２記載の電子メール装置。
【請求項９】
前記重要メール識別用アイコンは、電子メールの受信者アドレスに表示されることを特徴とする請求項５または６記載の電子メール装置。
【請求項１０】
前記重要メール識別用文字列が、ＡＳＣＩＩコードのＯｘ２０以下の非表示情報であることを特徴とする請求項１〜９のいずれか１項記載の電子メール装置。
【請求項１１】
前記電子メール装置は、携帯電話機，ＰＨＳ，ＰＤＡまたはパーソナルコンピュータであることを特徴とする請求項１〜１０のいずれか１項記載の電子メール装置。
【請求項１２】
送信側電子メール装置においては、重要な電子メールであることを示す重要メール識別用文字列を電子メール本文中に含めて送信し、受信側電子メール装置においては、受信した電子メールの本文中に前記重要メール識別用文字列が含まれているかを検出し、含まれていた場合は、受信メール一覧画面上の該当メールに重要メール識別用アイコンを表示させることを特徴とする重要メール通知方法。
【請求項１３】
送信側電子メール装置においては、重要な電子メールであることを示す重要メール識別用文字列を電子メール本文中に含めて送信し、受信側電子メール装置においては、電子メールを受信する度に、受信した電子メールを内部記憶部に記憶させるとともに、前記内部記憶部に記憶されている受信メール一覧情報に受信した電子メールの一覧情報を追加して更新する手段と、受信した電子メールの本文中に前記重要メール識別用文字列が含まれているかを検出し、含まれていた場合は、前記受信メール一覧情報の該当メールに重要メール識別用アイコンを追加して前記受信メール一覧情報を更新することを特徴とする重要メール通知方法。
【請求項１４】
送信側電子メール装置においては、重要な電子メールであることを示す重要メール識別用文字列を電子メール本文中に含めて送信し、受信側電子メール装置においては、電子メールを受信する度に、受信した電子メールの本文中に重要メール識別用文字列が含まれているかを検出し、含まれていた場合は、重要メール識別用アイコンを待ち受け画面上またはデスクトップ画面上に表示することを特徴とする重要メール通知方法。
【請求項１５】
ユーザから送信メール一覧表示要求があったときに、送信メール一覧に含まれる電子メールの本文中に重要メール識別用文字列が含まれているかを検出し、含まれていた電子メールについては、送信メール一覧画面上で重要メール識別用アイコンを表示することを特徴とする重要メール通知方法。
【請求項１６】
電子メールを送信する度に、送信した電子メールを内部記憶部に記憶させるとともに、前記内部記憶部に記憶されている送信メール一覧情報に送信した電子メールの一覧情報を追加して更新し、送信した電子メールの本文中に重要メール識別用文字列が含まれているかを検出し、含まれていた場合は、前記送信メール一覧情報の該当メールに重要メール識別用アイコンを追加して前記送信メール一覧情報を更新することを特徴とする重要メール通知方法。
【発明の詳細な説明】
【０００１】
【発明の属する技術分野】
本発明は、電子メール装置および重要メール通知方法に関し、特に重要な電子メールを識別して表示する電子メール装置および重要メール通知方法に関する。
【０００２】
【従来の技術】
従来、電子メール送受信機能を備えた携帯電話機やパーソナルコンピュータ等の電子メール装置において、受信電子メールの一覧画面上では例えば受信した電子メールの題名等の一覧が表示され、その中から目的の電子メールを選択して本文を表示させることにより、メール内容の参照を行っている。しかし、この従来の方法においては、電子メール一覧画面からは題名や送信者のメールアドレス等は分かるものの、それらの内のどのメールが重要なメールであるのかは本文を読まない限り分からない。メール本文を読む前に、どのメールが重要なメールであるのかを把握できれば、複数の受信メールの中から優先して読むことができ、メール受信者にとって望ましいことである。
【０００３】
なお、受信した電子メールの重要度に応じた着信通知を行った例としては、例えば特開２００２−４１４１４号公報（下記特許文献１）に記載された電子メール着信通知装置及び電子メール着信通知方法がある。この特許文献１には、送信者が電子メールの重要度情報を電子メール制御情報に含めて送信し、受信側装置が重要度情報を抽出して重要度のレベルを判定し、この判定されたレベルに対応する着信音および着信音量で受信者に着信を通知することが記載されている。
【０００４】
【特許文献１】
特開２００２−４１４１４号公報（第２頁［請求項１］，図１，図２）
【０００５】
【発明が解決しようとする課題】
しかし、上述した特許文献１においては、電子メールの着信時に電子メールを開封することなく重要度を判断することはできるが、それは電子メール着信時だけの一過性の通知方法となっている。従って、着信した後の受信メール一覧画面上においては重要度の表示は無く、多忙な受信者が後で一括して受信メールを読もうとした場合には、どのメールが重要なものであるのかが分からないという問題がある。
【０００６】
また、電子メールの重要度情報を電子メール制御情報に含めて送受信しているため、この処理を行う機能の追加や、送信者の操作上の煩わしさの問題もある。
【０００７】
また、電子メールの送信者側装置においても、送信メール一覧画面上で重要なメールを表示させることができれば、本文を読み返さなくても送信済みメールの中から重要なメールが識別できて便利であるが、このことについては考慮されていない。
【０００８】
本発明は、以上の問題を解決する電子メール装置および重要メール通知方法を提供することを目的とする。
【０００９】
【課題を解決するための手段】
本発明の第１の電子メール装置は、ユーザから受信メール一覧表示要求があったときに、受信メール一覧に含まれる電子メールの本文中に重要メール識別用文字列が含まれているかを検出する手段と、含まれていた電子メールについては、受信メール一覧画面上で重要メール識別用アイコンを表示する手段とを有する。
【００１０】
本発明の第２の電子メール装置は、電子メールを受信する度に、受信した電子メールを内部記憶部に記憶させるとともに、前記内部記憶部に記憶されている受信メール一覧情報に受信した電子メールの一覧情報を追加して更新する手段と、受信した電子メールの本文中に重要メール識別用文字列が含まれているかを検出する手段と、含まれていた場合は、前記受信メール一覧情報内の該当メールに重要メール識別用アイコンを追加して前記受信メール一覧情報を更新する手段とを有する。
【００１１】
本発明の第３の電子メール装置は、電子メールを受信する度に、受信した電子メールを内部記憶部に記憶させるとともに、前記内部記憶部に記憶されている受信メール一覧情報に受信した電子メールの一覧情報を追加して更新する手段と、受信した電子メールの本文中に重要メール識別用文字列が含まれているかを検出する手段と、含まれていた場合は、重要メール識別用アイコンを待ち受け画面上またはデスクトップ画面上に表示する手段とを有する。
【００１２】
本発明の第４の電子メール装置は、電子メールを受信する度に、受信した電子メールを内部記憶部に記憶させるとともに、前記内部記憶部に記憶されている受信メール一覧情報に受信した電子メールの一覧情報を追加して更新する手段と、受信した電子メールの本文中に重要メール識別用文字列が含まれているかを検出する手段と、含まれていた場合は、前記受信メール一覧情報の該当メールに重要メール識別用アイコンを追加して前記受信メール一覧情報を更新する手段と、重要メール識別用アイコンを待ち受け画面上またはデスクトップ画面上に表示する手段とを有する。
【００１３】
本発明の第５の電子メール装置は、ユーザから送信メール一覧表示要求があったときに、送信メール一覧に含まれる電子メールの本文中に重要メール識別用文字列が含まれているかを検出する手段と、含まれていた電子メールについては、送信メール一覧画面上で重要メール識別用アイコンを表示する手段とを有する。
【００１４】
本発明の第６の電子メール装置は、電子メールを送信する度に、送信した電子メールを内部記憶部に記憶させるとともに、前記内部記憶部に記憶されている送信メール一覧情報に送信した電子メールの一覧情報を追加して更新する手段と、送信した電子メールの本文中に重要メール識別用文字列が含まれているかを検出する手段と、含まれていた場合は、前記送信メール一覧情報の該当メールに重要メール識別用アイコンを追加して前記送信メール一覧情報を更新する手段とを有する。
【００１５】
本発明の第７の電子メール装置は、本発明の第１，第２，第５または第６の電子メール装置において、前記重要メール識別用アイコンは、電子メールの題名に表示されることを特徴とする。
【００１６】
本発明の第８の電子メール装置は、本発明の第１または第２の電子メール装置において、前記重要メール識別用アイコンは、電子メールの送信者アドレスに表示されることを特徴とする。
【００１７】
本発明の第９の電子メール装置は、本発明の第５または第６の電子メール装置において、前記重要メール識別用アイコンは、電子メールの受信者アドレスに表示されることを特徴とする。
【００１８】
本発明の第１０の電子メール装置は、本発明の第１〜第９のいずれかの電子メール装置において、前記重要メール識別用文字列が、ＡＳＣＩＩコードのＯｘ２０以下の非表示情報であることを特徴とする。
【００１９】
本発明の第１１の電子メール装置は、本発明の第１〜第１０のいずれかの電子メール装置において、前記電子メール装置は、携帯電話機，ＰＨＳ，ＰＤＡまたはパーソナルコンピュータであることを特徴とする。
【００２０】
本発明の第１の重要メール通知方法は、送信側電子メール装置においては、重要な電子メールであることを示す重要メール識別用文字列を電子メール本文中に含めて送信し、受信側電子メール装置においては、受信した電子メールの本文中に前記重要メール識別用文字列が含まれているかを検出し、含まれていた場合は、受信メール一覧画面上の該当メールに重要メール識別用アイコンを表示させることを特徴とする。
【００２１】
本発明の第２の重要メール通知方法は、送信側電子メール装置においては、重要な電子メールであることを示す重要メール識別用文字列を電子メール本文中に含めて送信し、受信側電子メール装置においては、電子メールを受信する度に、受信した電子メールを内部記憶部に記憶させるとともに、前記内部記憶部に記憶されている受信メール一覧情報に受信した電子メールの一覧情報を追加して更新する手段と、受信した電子メールの本文中に前記重要メール識別用文字列が含まれているかを検出し、含まれていた場合は、前記受信メール一覧情報の該当メールに重要メール識別用アイコンを追加して前記受信メール一覧情報を更新することを特徴とする。
【００２２】
本発明の第３の重要メール通知方法は、送信側電子メール装置においては、重要な電子メールであることを示す重要メール識別用文字列を電子メール本文中に含めて送信し、受信側電子メール装置においては、電子メールを受信する度に、受信した電子メールの本文中に重要メール識別用文字列が含まれているかを検出し、含まれていた場合は、重要メール識別用アイコンを待ち受け画面上またはデスクトップ画面上に表示することを特徴とする。
【００２３】
本発明の第４の重要メール通知方法は、ユーザから送信メール一覧表示要求があったときに、送信メール一覧に含まれる電子メールの本文中に重要メール識別用文字列が含まれているかを検出し、含まれていた電子メールについては、送信メール一覧画面上で重要メール識別用アイコンを表示することを特徴とする。
【００２４】
本発明の第５の重要メール通知方法は、電子メールを送信する度に、送信した電子メールを内部記憶部に記憶させるとともに、前記内部記憶部に記憶されている送信メール一覧情報に送信した電子メールの一覧情報を追加して更新し、送信した電子メールの本文中に重要メール識別用文字列が含まれているかを検出し、含まれていた場合は、前記送信メール一覧情報の該当メールに重要メール識別用アイコンを追加して前記送信メール一覧情報を更新することを特徴とする。
【００２５】
【発明の実施の形態】
本発明の実施の形態について図面を参照して詳細に説明する。
【００２６】
図１は、本発明の実施の形態の構成を示すブロック図である。なお、本発明の電子メール装置は、電子メール送受信機能を備えた携帯電話機，ＰＨＳ（Ｐｅｒｓｏｎａｌ  Ｈａｎｄｙｐｈｏｎｅ  Ｓｙｓｔｅｍ），ＰＤＡ（Ｐｅｒｓｏｎａｌ  Ｄｉｇｉｔａｌ  Ａｓｓｉｓｔａｎｃｅ）やパーソナルコンピュータ等の情報処理装置であるが、ここでは携帯電話機を例に説明する。
【００２７】
図１を参照すると、本発明の電子メール装置は、キー入力部１と、表示部２と、無線部３と、アンテナ部４と、制御部５と、記憶部６とを備えている。
【００２８】
キー入力部１は、ユーザのキー操作により文字等を入力するものである。表示部２は、キー入力部１から入力された文字や、送信または受信メール一覧画面、電子メール本文等を表示するものであり、例えばＬＣＤ等が用いられる。無線部３は、アンテナ部４により送受信される無線データの符号化および復号化等を行う機能を備えている。制御部５は、プログラムにより制御されるＣＰＵ等であり、キー入力部１からの入力により電子メールを作成し無線部３に送信する機能と、キー入力部１からの入力により文字や、送信または受信メール一覧画面、電子メール本文等を表示部２に表示させる機能と、電子メールの本文中に特定の文字列が含まれているかを検出する機能と、特定の文字列が検出された場合にメール一覧画面上に重要なメールであることを表すアイコンを表示させる機能とを備えている。記憶部６は、送受信した電子メール等を記憶するものである。
【００２９】
次に、本発明の第１の実施の形態について説明する。
【００３０】
本実施の形態の構成は図１に示す通りである。以下、本実施の形態の動作について図１〜図５を参照して説明する。
【００３１】
まず、メール送信時の動作について図１〜図３を参照して説明する。
【００３２】
図２は本発明の第１の実施の形態におけるメール送信時の動作を示すフローチャートであり、図３は電子メール作成画面の一例を示す図である。
【００３３】
図２を参照すると、ステップＡ１にて、ユーザはキー入力部１を操作してメール作成メニューを選択し、制御部５は電子メールの作成画面を表示部２に表示させる。次に、ステップＡ２にてユーザはキー入力部１を操作し電子メールの宛先を入力する。同様に電子メールの題名（ステップＡ３）、電子メールの本文（ステップＡ４）をキー入力部１を操作することにより入力する。
【００３４】
次に、ユーザは重要な電子メールであることを示す文字列（以降、重要メール識別用文字列、と記す）を付加するかどうかの判断を行い（ステップＡ５）、付加しない場合はステップＡ７に進む。一方、電子メールに重要メール識別用文字列を付加する場合は、ユーザはステップＡ６にてキー入力部１を操作し、重要メール識別用文字列（例えば、「緊急」等）を、図３に示すように、電子メールの本文中に入力する。なお、この重要メール識別用文字列を挿入する場所は本文の先頭部分に限定されず、本文の途中や末尾であっても構わない。また、重要メール識別用文字列として何を指定するかについては、受信側電子メール装置のプログラム上で規定してもよいし、内部メモリに予め設定しておいて制御部５が参照するようにしてもよい。メール送信者は受信側電子メール装置で規定あるいは設定された重要メール識別用文字列を、送信メールの本文中に付加する。
【００３５】
次に、ユーザはステップＡ７にて電子メールの本文編集を終了するかどうかの判断を行う。終了する場合は、キー入力部１から送信の操作をすることにより、作成した電子メールを制御部５が無線部３に送信するとともに、送信した電子メールを記憶部６に記憶させ、記憶部６に記憶されている送信メール一覧情報に当該メールの一覧情報（送信日，題名等）を追加して更新する（ステップＡ８）。ステップＡ７において、本文編集を終了しない場合は、ステップＡ４に戻り本文編集を行う。
【００３６】
次に、メール受信時の動作について図１，図４および図５を参照して説明する。
【００３７】
図４は本発明の第１の実施の形態におけるメール受信時の動作を示すフローチャートであり、図５は受信メール一覧画面の一例を示す図である。
【００３８】
図４を参照すると、電子メールを受信すると、制御部５は受信した電子メールを記憶部６に記憶させ、記憶部６に記憶されている受信メール一覧情報に当該メールの一覧情報（受信日，題名等）を追加して更新する（ステップＢ１）。次に、ユーザが受信メール一覧表示要求の操作をキー入力部１により行う（ステップＢ２）ことにより、制御部５は、受信メール一覧に含まれる電子メールの本文中に重要メール識別用文字列が含まれているか否かを検出し（ステップＢ３）、含まれていた電子メールについては、受信メール一覧画面上で、図５に示すように、該当の受信メールの題名に重要メール識別用アイコンを表示する（ステップＢ４）。含まれていなかった電子メールについては、制御部５は重要メール識別用アイコンは表示させず、受信メールの題名のみを表示させる（ステップＢ５）。
【００３９】
次に、本発明の第２の実施の形態について説明する。
【００４０】
上述した第１の実施の形態においては、受信メール一覧画面上における重要メール識別用アイコン表示について述べたが、本実施の形態は送信メール一覧画面上における重要メール識別用アイコン表示に関するものである。本実施の形態を第１の実施の形態と併せて適用することも勿論可能である。
【００４１】
本実施の形態の構成は図１に示す通りである。以下、本実施の形態の動作について図１および図６を参照して説明する。なお、図６は本発明の第２の実施の形態の動作を示すフローチャートであり、電子メールを作成，送信し、送信メール一覧画面において重要メール識別用アイコンを表示させるまでの手順を示している。
【００４２】
図６のステップＣ１〜Ｃ８の動作については、図２のステップＡ１〜Ａ８のメール送信時の動作と同じであるため、再度の説明は省略する。
【００４３】
ステップＣ８で電子メールを送信した後、ユーザが送信メール一覧表示要求の操作をキー入力部１により行う（（ステップＣ９）ことにより、制御部５は、送信メール一覧に含まれる電子メールの本文中に重要メール識別用文字列が含まれているか否かを検出する（ステップＣ１０）。含まれていた電子メールについては、送信メール一覧画面上で、該当の送信済みメールの題名に重要メール識別用アイコンを表示する（ステップＣ１１）。含まれていなかった電子メールについては、制御部５は重要メール識別用アイコンは表示させず、送信済みメールの題名のみを表示させる（ステップＣ１２）。
【００４４】
なお、以上の説明においては、ステップＣ１〜Ｃ８の動作に引き続きステップＣ９〜Ｃ１２の動作を行っているが、ステップＣ９〜Ｃ１２の動作をステップＣ１〜Ｃ８の動作とは関係なく独立して行うことも可能である。
【００４５】
本実施の形態は、送信済み電子メールの一覧上で重要な電子メールを見つけやすくすることができるという効果を有する。
【００４６】
次に、本発明の第３の実施の形態について説明する。
【００４７】
上述した第１または第２の実施の形態においては、メール一覧画面をユーザが要求したことを契機として、メール一覧に含まれる電子メールの本文中に重要メール識別用文字列が含まれているか否かを検出していたが、本実施の形態は、メール送信の都度またはメール受信の都度、その電子メールの本文中に重要メール識別用文字列が含まれているかを検出し、その結果をその都度記憶部６に格納されているメール一覧情報に追加するようにした点が異なっている。
【００４８】
本実施の形態の構成は図１に示す通りである。以下、本実施の形態の動作について図１，図７および図８を参照して説明する。なお、図７は本発明の第３の実施の形態におけるメール送信時の動作を示すフローチャートであり、図８は本発明の第３の実施の形態におけるメール受信時の動作を示すフローチャートである。
【００４９】
まず、メール送信時の動作について図７を参照して説明する。
【００５０】
図７のステップＤ１〜Ｄ８の動作については、図２のステップＡ１〜Ａ８、図６のステップＣ１〜Ｃ８のメール送信時の動作と同じであるため、再度の説明は省略する。
【００５１】
ステップＤ８に続き、制御部５は送信した電子メールの本文中に重要メール識別用文字列が含まれているか否かを検出する（ステップＤ９）。含まれていなかった場合は、制御部５は処理を終了し、含まれていた場合は、制御部５は記憶部６に記憶されている送信メール一覧情報の当該メールに重要メール識別用アイコンを追加して更新する（ステップＤ１０）。
【００５２】
次に、メール受信時の動作について図８を参照して説明する。
【００５３】
電子メールを受信すると、制御部５は受信した電子メールを記憶部６に記憶させ、記憶部６に記憶されている受信メール一覧情報に当該メールの一覧情報を追加して更新する（ステップＥ１）。次に、制御部５は受信した電子メールの本文中に重要メール識別用文字列が含まれているか否かを検出する（ステップＥ２）。含まれていなかった場合は、制御部５は処理を終了し、含まれていた場合は、制御部５は記憶部６に記憶されている受信メール一覧情報の当該メールに重要メール識別用アイコンを追加して更新する（ステップＥ３）。
【００５４】
本実施の形態は、重要メール対応に重要メール識別用アイコンが送信メール一覧情報または受信メール一覧情報に含まれて、送信または受信の度に記憶部６に格納されるため、ユーザからメール一覧表示要求を受ける度に電子メールの本文中に重要メール識別用文字列が含まれているか否かの検出を繰り返す必要が無くなるという効果を有する。
【００５５】
次に、本発明の第４の実施の形態について説明する。
【００５６】
本実施の形態は、受信メール一覧の表示内容が各メールの題名表示から送信者のアドレス表示に切り替えられた場合にも、重要メール識別用アイコン表示を可能にするものである。
【００５７】
本実施の形態の構成は図１に示す通りである。以下、本実施の形態の動作について図１および図９を参照して説明する。なお、図９は本発明の第４の実施の形態の動作を示すフローチャートであり、電子メールを受信し、受信メール一覧を題名表示から送信者のアドレス表示に切り替えた場合に重要メール識別用アイコンを表示させるまでの手順を示している。
【００５８】
電子メールを受信すると、制御部５は受信した電子メールを記憶部６に記憶させ、記憶部６に記憶されている受信メール一覧情報に当該メールの一覧情報を追加して更新する（ステップＦ１）。次に、ユーザが受信メール一覧表示要求の操作をキー入力部１により行う（ステップＦ２）ことにより、制御部５は、受信メール一覧を題名表示で行うか、送信者のアドレス表示で行うかの質問を表示してユーザに選択させる（ステップＦ３）。
【００５９】
ユーザが題名表示を選択した場合は、ステップＦ４〜Ｆ６に進む。ステップＦ４〜Ｆ６は図４のステップＢ３〜Ｂ５と同じ動作である。すなわち、制御部５は受信メール一覧に含まれる電子メールの本文中に重要メール識別用文字列が含まれているか否かを検出し（ステップＦ４）、含まれていた電子メールについては、受信メール一覧画面上で、該当の受信メールの題名に重要メール識別用アイコンを表示する（ステップＦ５）。含まれていなかった電子メールについては、制御部５は重要メール識別用アイコンは表示させず、受信メールの題名のみを表示させる（ステップＦ６）。
【００６０】
一方、ステップＦ３において、ユーザが送信者のアドレス表示を選択した場合は、制御部５は受信メール一覧に含まれる電子メールの本文中に重要メール識別用文字列が含まれているか否かを検出し（ステップＦ７）、含まれていた電子メールについては、受信メール一覧画面上で、該当の受信メールの送信者アドレスに重要メール識別用アイコンを表示する（ステップＦ８）。含まれていなかった電子メールについては、制御部５は重要メール識別用アイコンは表示させず、受信メールの送信者アドレスのみを表示させる（ステップＦ９）。
【００６１】
以上、図９を参照して、受信メール一覧画面上で、重要メール識別用アイコンを送信者アドレスに表示することも可能であることを説明したが、送信メール一覧画面上においても同じことを適用可能なことは明らかである。例えば、図６のステップＣ９→図９のステップＦ３→ステップ７〜９の動作により可能となる。但し、送信メール一覧画面上の場合は、重要メール識別用アイコンを送信者アドレスではなく受信者（受取人）アドレスに表示することとなる。
【００６２】
このように、メール一覧の表示が送信者または受信者のアドレスで表示されている場合、一覧画面上ではメールの内容を把握しにくいが、本実施の形態により、一覧表示が送信者または受信者のアドレス表示の場合でも、重要な電子メールが見つけ易くなるという効果を有する。
【００６３】
なお、以上説明した第１〜第４の実施の形態においては、重要な電子メールか否かの判別は、メール本文中に「緊急」等の文字列（重要メール識別用文字列）があるか否かで行っていた。この重要メール識別用文字列として、非表示情報（ＡＳＣＩＩコードのＯｘ２０以下等）を指定してもよい。この場合は、メール一覧画面上は重要メール識別用アイコンが表示されるため、送信者または受信者は重要な電子メールであることが分かるが、電子メール本文中には重要メール識別用文字列が表示されないため、電子メール本文を見た第三者に重要な電子メールであることを悟られなくする効果がある。
【００６４】
また、以上説明した第１〜第４の実施の形態においては、重要メール識別用アイコンをメール一覧画面上で表示しているが、例えば、携帯電話機の待ち受け画面（携帯電話機を使用していない状態で表示されている画面）上や、パーソナルコンピュータのデスクトップ画面（ＯＳを起動したときに表示され、ファイルやアプリケーションソフトの起動を行うことができる基本となる操作画面）上に表示するようにしてもよい。この場合は、例えばメール受信の度に、制御部５がメール本文中に重要メール識別用文字列があるか否かを検出し、あった場合に待ち受け画面上に重要メール識別用アイコンを表示させ、ユーザがそのアイコンを選択することにより該当メール内容を表示する。なお、重要メール識別用アイコンを携帯電話機の待ち受け画面上やパーソナルコンピュータのデスクトップ画面上に表示する動作は、図８のステップＥ１〜Ｅ３の動作を行った後に行うようにしてもよいし、ステップＥ１〜Ｅ２の動作を行った後に行うようにしてもよい。
【００６５】
これにより、メール一覧表示要求を行わなくても、重要な電子メールに即座にアクセスできるようになるという効果が得られる。
【００６６】
【発明の効果】
本発明は、送信メール一覧画面上、受信メール一覧画面上、待ち受け画面上等で、重要な電子メールについては重要メール識別用アイコンを表示させるようにしたため、メール内容を表示する前に重要なメールの存在を把握することができるという効果がある。
【００６７】
また、重要なメールか否かを識別するための重要メール識別用文字列を、電子メールの本文中に含めて送信するようにしたため、メール送信者は特別な操作を行うことなく、電子メール作成時に本文中に重要メール識別用文字列を追加するだけで、重要な電子メールの指定を簡単に行えるという効果がある。
【図面の簡単な説明】
【図１】本発明の実施の形態の構成を示すブロック図である。
【図２】本発明の第１の実施の形態におけるメール送信時の動作を示すフローチャートである。
【図３】電子メール作成画面の一例を示す図である。
【図４】本発明の第１の実施の形態におけるメール受信時の動作を示すフローチャートである。
【図５】受信メール一覧画面の一例を示す図である。
【図６】本発明の第２の実施の形態の動作を示すフローチャートである。
【図７】本発明の第３の実施の形態におけるメール送信時の動作を示すフローチャートである。
【図８】本発明の第３の実施の形態におけるメール受信時の動作を示すフローチャートである。
【図９】本発明の第４の実施の形態の動作を示すフローチャートである。
【符号の説明】
１    キー入力部
２    表示部
３    無線部
４    アンテナ部
５    制御部
６    記憶部
【図１】
2004252635.tif 000003
【図２】
2004252635.tif 000004
【図３】
2004252635.tif 000005
【図４】
2004252635.tif 000006
【図５】
2004252635.tif 000007
【図６】
2004252635.tif 000008
【図７】
2004252635.tif 000009
【図８】
2004252635.tif 000010
【図９】
2004252635.tif 000011